(57)【特許請求の範囲】
【請求項１】
プレキャストコンクリ−ト基礎梁の端面と端面をコンクリ−トを介して接合するプレキャストコンクリ−ト基礎梁の接合方法において、
接合する一方の前記プレキャストコンクリ−ト基礎梁の端面より突出する鉄筋は水平方向に略Ｕ字形状をなす第１の水平鉄筋を垂直方向に間隔を設けて複数形成して第１の水平鉄筋群を構成し、
接合する他方の前記プレキャストコンクリ−ト基礎梁の端面より突出する鉄筋は水平方向に略Ｕ字形状をなす第２の水平鉄筋を垂直方向に間隔を設けて複数形成して第２の水平鉄筋群を構成し、
前記プレキャストコンクリ−ト基礎梁の端面より突出する鉄筋と他方の前記プレキャストコンクリ−ト基礎梁の端面より突出する鉄筋とは、前記鉄筋の長手方向を横断する方向の断面形状が同じであり、
前記第１の水平鉄筋の略Ｕ字形状は、第１の弧状部と、この第１の弧状部の両側にそれぞれ延びる第１の左直線部、第１の右直線部で構成され、
前記第１の弧状部は、前記第１の直線部と、前記第１の直線部より前記第１の左直線部に延びる左第１のコーナーと、前記第１の直線部より前記第１の右直線部に延びる右第１のコーナーとを備え、
前記第２の水平鉄筋の略Ｕ字形状は、第２の弧状部と、この第２の弧状部の両側にそれぞれ延びる第２の左直線部、第２の右直線部で構成され、
前記第２の弧状部は、前記第２の直線部と、前記第２の直線部より前記第２の左直線部に延びる左第２のコーナーと、前記第２の直線部より前記第２の右直線部に延びる右第２のコーナーとを備え、
相対する前記第１の左直線部と前記第１の右直線部との幅と相対する前記第２の左直線部と前記第２の右直線部との幅は同じ大きさであり、
垂直方向に隣接する前記第１の水平鉄筋と前記第１の水平鉄筋との間であって隣接する前記第１の水平鉄筋と前記第１の水平鉄筋から離間する位置に、前記第２の水平鉄筋が位置すると共に、前記第１の左直線部と前記第２の左直線部、前記第１の右直線部と前記第２の右直線部とをそれぞれ垂直方向に重なるように一致させ、
前記第２の弧状部より前記第１の弧状部に近い前記左第１のコーナーの位置であり、垂直方向に重なるように一致した前記第１の左直線部と前記第２の左直線部とにそれぞれ当接して、垂直方向に立設する第１の垂直鉄筋と、
この第１の垂直鉄筋と前記第１の左直線部又は前記第２の左直線部とを結束する第１の結束線と、
前記第１の弧状部より前記第２の弧状部に近い前記左第２のコーナーの位置であり、垂直方向に重なるように一致した前記第１の左直線部と前記第２の左直線部とにそれぞれ当接して、垂直方向に立設する第２の垂直鉄筋と、
この第２の垂直鉄筋と前記第１の左直線部又は前記第２の左直線部とを結束する第２の結束線と、
前記第２の弧状部より前記第１の弧状部に近い前記右第１のコーナーの位置であり、垂直方向に重なるように一致した前記第１の右直線部と前記第２の右直線部とにそれぞれ当接して、垂直方向に立設する第３の垂直鉄筋と、
この第３の垂直鉄筋と前記第１の右直線部又は前記第２の右直線部とを結束する第３の結束線と、
前記第１の弧状部より前記第２の弧状部に近い前記右第２のコーナーの位置であり、垂直方向に重なるように一致した前記第１の右直線部と前記第２の右直線部とにそれぞれ当接して、垂直方向に立設する第４の垂直鉄筋と、
この第４の垂直鉄筋と前記第１の右直線部又は前記第２の右直線部とを結束する第４の結束線と
を備えていることを特徴とするプレキャストコンクリ−ト基礎梁の接合方法。
【請求項２】
壁構築用プレキャストコンクリ−ト部材の端面と端面をコンクリ−トを介して接合する壁構築用プレキャストコンクリ−ト部材の接合方法において、
接合する一方の前記壁構築用プレキャストコンクリ−ト部材の端面より突出する鉄筋は水平方向に略Ｕ字形状をなす第１の水平鉄筋を垂直方向に間隔を設けて複数形成して第１の水平鉄筋群を構成し、
接合する他方の前記壁構築用プレキャストコンクリ−ト部材の端面より突出する鉄筋は水平方向に略Ｕ字形状をなす第２の水平鉄筋を垂直方向に間隔を設けて複数形成して第２の水平鉄筋群を構成し、
前記壁構築用プレキャストコンクリ−ト部材の端面より突出する鉄筋と他方の前記壁構築用プレキャストコンクリ−ト部材の端面より突出する鉄筋とは、前記鉄筋の長手方向を横断する方向の断面形状が同じであり、
前記第１の水平鉄筋の略Ｕ字形状は、第１の弧状部と、この第１の弧状部の両側にそれぞれ延びる第１の左直線部、第１の右直線部で構成され、
前記第１の弧状部は、前記第１の直線部と、前記第１の直線部より前記第１の左直線部に延びる左第１のコーナーと、前記第１の直線部より前記第１の右直線部に延びる右第１のコーナーとを備え、
前記第２の水平鉄筋の略Ｕ字形状は、第２の弧状部と、この第２の弧状部の両側にそれぞれ延びる第２の左直線部、第２の右直線部で構成され、
前記第２の弧状部は、前記第２の直線部と、前記第２の直線部より前記第２の左直線部に延びる左第２のコーナーと、前記第２の直線部より前記第２の右直線部に延びる右第２のコーナーとを備え、
相対する前記第１の左直線部と前記第１の右直線部との幅と相対する前記第２の左直線部と前記第２の右直線部との幅は同じ大きさであり、
垂直方向に隣接する前記第１の水平鉄筋と前記第１の水平鉄筋との間であって隣接する前記第１の水平鉄筋と前記第１の水平鉄筋から離間する位置に、前記第２の水平鉄筋が位置すると共に、前記第１の左直線部と前記第２の左直線部、前記第１の右直線部と前記第２の右直線部とをそれぞれ垂直方向に重なるように一致させ、
前記第２の弧状部より前記第１の弧状部に近い前記左第１のコーナーの位置であり、垂直方向に重なるように一致した前記第１の左直線部と前記第２の左直線部とにそれぞれ当接して、垂直方向に立設する第１の垂直鉄筋と、
この第１の垂直鉄筋と前記第１の左直線部又は前記第２の左直線部とを結束する第１の結束線と、
前記第１の弧状部より前記第２の弧状部に近い前記左第２のコーナーの位置であり、垂直方向に重なるように一致した前記第１の左直線部と前記第２の左直線部とにそれぞれ当接して、垂直方向に立設する第２の垂直鉄筋と、
この第２の垂直鉄筋と前記第１の左直線部又は前記第２の左直線部とを結束する第２の結束線と、
前記第２の弧状部より前記第１の弧状部に近い前記右第１のコーナーの位置であり、垂直方向に重なるように一致した前記第１の右直線部と前記第２の右直線部とにそれぞれ当接して、垂直方向に立設する第３の垂直鉄筋と、
この第３の垂直鉄筋と前記第１の右直線部又は前記第２の右直線部とを結束する第３の結束線と、
前記第１の弧状部より前記第２の弧状部に近い前記右第２のコーナーの位置であり、垂直方向に重なるように一致した前記第１の右直線部と前記第２の右直線部とにそれぞれ当接して、垂直方向に立設する第４の垂直鉄筋と、
この第４の垂直鉄筋と前記第１の右直線部又は前記第２の右直線部とを結束する第４の結束線と
を備えていることを特徴とする壁構築用プレキャストコンクリ−ト部材の接合方法。
【発明の詳細な説明】
【０００１】
本発明は、プレキャストコンクリ−ト基礎梁の接合方法及び壁構築用プレキャストコンクリ−ト部材の接合方法に係り、特に、強度と作業の両面の改善を図ることができるプレキャストコンクリ−ト基礎梁の接合方法及び壁構築用プレキャストコンクリ−ト部材の接合方法に関する。
【０００２】
【従来の技術】
従来、プレキャストコンクリ−ト基礎梁の端面と端面をコンクリ−トを介して接合するプレキャストコンクリ−ト基礎梁の接合方法にあっては、相対するプレキャストコンクリ−ト基礎梁の端面よりそれぞれ突出する鉄筋を一部重ね、重ねた部分を溶接により接合し、接合した後、コンクリ−トを流し込んで、プレキャストコンクリ−ト基礎梁を並設している。
【０００３】
【発明が解決しようとする課題】
そのため、建物の設置現場において、プレキャストコンクリ−ト基礎梁の端面より突出する鉄筋同士を溶接により接合しなければならず、作業性が悪いという問題点があった。
本発明は、上述した問題点を除去するようにしたプレキャストコンクリ−ト基礎梁の接合方法、壁構築用プレキャストコンクリ−ト部材の接合方法、プレキャストコンクリ−ト基礎梁及び壁構築用プレキャストコンクリ−ト部材を提供するものである。
【０００４】
【課題を解決するための手段】
上記目的を達成するために、請求項１記載のプレキャストコンクリ−ト基礎梁の接合方法は、プレキャストコンクリ−ト基礎梁の端面と端面をコンクリ−トを介して接合するプレキャストコンクリ−ト基礎梁の接合方法において、接合する一方の前記プレキャストコンクリ−ト基礎梁の端面より突出する鉄筋は水平方向に略Ｕ字形状をなす第１の水平鉄筋を垂直方向に間隔を設けて複数形成して第１の水平鉄筋群を構成し、接合する他方の前記プレキャストコンクリ−ト基礎梁の端面より突出する鉄筋は水平方向に略Ｕ字形状をなす第２の水平鉄筋を垂直方向に間隔を設けて複数形成して第２の水平鉄筋群を構成し、前記プレキャストコンクリ−ト基礎梁の端面より突出する鉄筋と他方の前記プレキャストコンクリ−ト基礎梁の端面より突出する鉄筋とは、前記鉄筋の長手方向を横断する方向の断面形状が同じであり、前記第１の水平鉄筋の略Ｕ字形状は、第１の弧状部と、この第１の弧状部の両側にそれぞれ延びる第１の左直線部、第１の右直線部で構成され、前記第１の弧状部は、前記第１の直線部と、前記第１の直線部より前記第１の左直線部に延びる左第１のコーナーと、前記第１の直線部より前記第１の右直線部に延びる右第１のコーナーとを備え、前記第２の水平鉄筋の略Ｕ字形状は、第２の弧状部と、この第２の弧状部の両側にそれぞれ延びる第２の左直線部、第２の右直線部で構成され、前記第２の弧状部は、前記第２の直線部と、前記第２の直線部より前記第２の左直線部に延びる左第２のコーナーと、前記第２の直線部より前記第２の右直線部に延びる右第２のコーナーとを備え、相対する前記第１の左直線部と前記第１の右直線部との幅と相対する前記第２の左直線部と前記第２の右直線部との幅は同じ大きさであり、垂直方向に隣接する前記第１の水平鉄筋と前記第１の水平鉄筋との間であって隣接する前記第１の水平鉄筋と前記第１の水平鉄筋から離間する位置に、前記第２の水平鉄筋が位置すると共に、前記第１の左直線部と前記第２の左直線部、前記第１の右直線部と前記第２の右直線部とをそれぞれ垂直方向に重なるように一致させ、前記第２の弧状部より前記第１の弧状部に近い前記左第１のコーナーの位置であり、垂直方向に重なるように一致した前記第１の左直線部と前記第２の左直線部とにそれぞれ当接して、垂直方向に立設する第１の垂直鉄筋と、この第１の垂直鉄筋と前記第１の左直線部又は前記第２の左直線部とを結束する第１の結束線と、前記第１の弧状部より前記第２の弧状部に近い前記左第２のコーナーの位置であり、垂直方向に重なるように一致した前記第１の左直線部と前記第２の左直線部とにそれぞれ当接して、垂直方向に立設する第２の垂直鉄筋と、この第２の垂直鉄筋と前記第１の左直線部又は前記第２の左直線部とを結束する第２の結束線と、前記第２の弧状部より前記第１の弧状部に近い前記右第１のコーナーの位置であり、垂直方向に重なるように一致した前記第１の右直線部と前記第２の右直線部とにそれぞれ当接して、垂直方向に立設する第３の垂直鉄筋と、この第３の垂直鉄筋と前記第１の右直線部又は前記第２の右直線部とを結束する第３の結束線と、前記第１の弧状部より前記第２の弧状部に近い前記右第２のコーナーの位置であり、垂直方向に重なるように一致した前記第１の右直線部と前記第２の右直線部とにそれぞれ当接して、垂直方向に立設する第４の垂直鉄筋と、
この第４の垂直鉄筋と前記第１の右直線部又は前記第２の右直線部とを結束する第４の結束線とを備えているものである。
【０００５】
また、請求項２記載の壁構築用プレキャストコンクリ−ト部材の接合方法は、壁構築用プレキャストコンクリ−ト部材の端面と端面をコンクリ−トを介して接合する壁構築用プレキャストコンクリ−ト部材の接合方法において、接合する一方の前記壁構築用プレキャストコンクリ−ト部材の端面より突出する鉄筋は水平方向に略Ｕ字形状をなす第１の水平鉄筋を垂直方向に間隔を設けて複数形成して第１の水平鉄筋群を構成し、接合する他方の前記壁構築用プレキャストコンクリ−ト部材の端面より突出する鉄筋は水平方向に略Ｕ字形状をなす第２の水平鉄筋を垂直方向に間隔を設けて複数形成して第２の水平鉄筋群を構成し、前記壁構築用プレキャストコンクリ−ト部材の端面より突出する鉄筋と他方の前記壁構築用プレキャストコンクリ−ト部材の端面より突出する鉄筋とは、前記鉄筋の長手方向を横断する方向の断面形状が同じであり、前記第１の水平鉄筋の略Ｕ字形状は、第１の弧状部と、この第１の弧状部の両側にそれぞれ延びる第１の左直線部、第１の右直線部で構成され、前記第１の弧状部は、前記第１の直線部と、前記第１の直線部より前記第１の左直線部に延びる左第１のコーナーと、前記第１の直線部より前記第１の右直線部に延びる右第１のコーナーとを備え、前記第２の水平鉄筋の略Ｕ字形状は、第２の弧状部と、この第２の弧状部の両側にそれぞれ延びる第２の左直線部、第２の右直線部で構成され、前記第２の弧状部は、前記第２の直線部と、前記第２の直線部より前記第２の左直線部に延びる左第２のコーナーと、前記第２の直線部より前記第２の右直線部に延びる右第２のコーナーとを備え、相対する前記第１の左直線部と前記第１の右直線部との幅と相対する前記第２の左直線部と前記第２の右直線部との幅は同じ大きさであり、垂直方向に隣接する前記第１の水平鉄筋と前記第１の水平鉄筋との間であって隣接する前記第１の水平鉄筋と前記第１の水平鉄筋から離間する位置に、前記第２の水平鉄筋が位置すると共に、前記第１の左直線部と前記第２の左直線部、前記第１の右直線部と前記第２の右直線部とをそれぞれ垂直方向に重なるように一致させ、前記第２の弧状部より前記第１の弧状部に近い前記左第１のコーナーの位置であり、垂直方向に重なるように一致した前記第１の左直線部と前記第２の左直線部とにそれぞれ当接して、垂直方向に立設する第１の垂直鉄筋と、この第１の垂直鉄筋と前記第１の左直線部又は前記第２の左直線部とを結束する第１の結束線と、前記第１の弧状部より前記第２の弧状部に近い前記左第２のコーナーの位置であり、垂直方向に重なるように一致した前記第１の左直線部と前記第２の左直線部とにそれぞれ当接して、垂直方向に立設する第２の垂直鉄筋と、この第２の垂直鉄筋と前記第１の左直線部又は前記第２の左直線部とを結束する第２の結束線と、前記第２の弧状部より前記第１の弧状部に近い前記右第１のコーナーの位置であり、垂直方向に重なるように一致した前記第１の右直線部と前記第２の右直線部とにそれぞれ当接して、垂直方向に立設する第３の垂直鉄筋と、この第３の垂直鉄筋と前記第１の右直線部又は前記第２の右直線部とを結束する第３の結束線と、前記第１の弧状部より前記第２の弧状部に近い前記右第２のコーナーの位置であり、垂直方向に重なるように一致した前記第１の右直線部と前記第２の右直線部とにそれぞれ当接して、垂直方向に立設する第４の垂直鉄筋と、この第４の垂直鉄筋と前記第１の右直線部又は前記第２の右直線部とを結束する第４の結束線とを備えているものである。
【０００８】
【実施例】
本発明の一実施例のプレキャストコンクリ−ト基礎梁の接合方法及びプレキャストコンクリ−ト基礎梁を図面を参照して説明する。
【０００９】
１は直方体形状のプレキャストコンクリ−ト基礎梁で、プレキャストコンクリ−ト基礎梁１はＰＣ受け部材２の上に載置されている。そして、ＰＣ受け部材２の下は順次、モルタル３、捨てコンクリ−ト４となっている。
このプレキャストコンクリ−ト基礎梁（基礎梁とは、最下階の柱下を横につなぐ水平部材）１の一方の端面（側面）１ａより突出する鉄筋は水平方向に略Ｕ字形状をなす第１の水平鉄筋Ｔ1 （第１のコッタ−筋）を垂直方向に間隔ｔを設けて複数形成して第１の水平鉄筋群Ｔ1 ’を構成している。
そして、第１の水平鉄筋Ｔ1 の略Ｕ字形状は、第１の弧状部Ｔ1cと、この第１の弧状部第１の弧状部Ｔ1cの両側にそれぞれ延びる第１の左直線部Ｔ1L、第１の右直線部Ｔ1Rで構成されている。
また、プレキャストコンクリ−ト基礎梁１の他方の端面（側面）１ｂより突出する鉄筋は水平方向に略Ｕ字形状をなす第２の水平鉄筋Ｔ2 （第２のコッタ−筋）を垂直方向に間隔を設けて複数形成して第２の水平鉄筋群Ｔ2 ’を構成している。
そして、第２の水平鉄筋Ｔ2 の略Ｕ字形状は、第２の弧状部Ｔ2cと、この第２の弧状部Ｔ2cの両側にそれぞれ延びる第２の左直線部Ｔ2L、第２の右直線部Ｔ2Rで構成されている。
【００１０】
上述したプレキャストコンクリ−ト基礎梁１の一方の端面１ａとプレキャストコンクリ−ト基礎梁１の他方の端面１ｂとは、相対向する位置関係にあり（図２参照）、第１の水平鉄筋Ｔ1 及び第２の水平鉄筋Ｔ2 は、端面１ａ、１ｂの連続する凹凸面の凸面に設けられている。なお、付着力を大きくするために、第１の水平鉄筋Ｔ1 及び第２の水平鉄筋Ｔ2 は略Ｕ字形状となっている。
【００１１】
また、プレキャストコンクリ−ト基礎梁１の一方の端面１ａより突出する鉄筋Ｔ1 とプレキャストコンクリ−ト基礎梁１の他方の端面１ｂより突出する鉄筋Ｔ2 とは、鉄筋Ｔ1 Ｔ2 、の長手方向を横断する方向の断面形状が同じ（例えば、円）であり、相対する第１の左直線部Ｔ1Lと第１の右直線部Ｔ1Rとの幅Ｗと相対する第２の左直線部Ｔ2Lと第２の右直線部Ｔ2Rとの幅Ｗは同じ大きさＷであり、第１の水平鉄筋Ｔ1 と第２の水平鉄筋Ｔ2 とは、プレキャストコンクリ−ト基礎梁１の底面１Ｃよりの高さが異なっている（ｈ1 ≠Ｈ1 、ｈ2 ≠Ｈ2 、ｈ3 ≠Ｈ3 、ｈ4 ≠Ｈ4 、ｈ5 ≠Ｈ5 、ｈ6 ≠Ｈ6 、ｈ7 ≠Ｈ7 、ｈ8 ≠Ｈ8 、ｈ9 ≠Ｈ9 ）。
【００１２】
なお、プレキャストコンクリ−ト基礎梁１の端面１ａと端面１ｂをコンクリ−トＣを介して接合するプレキャストコンクリ−ト基礎梁１を接合方法する際には、図１に示すように、プレキャストコンクリ−ト基礎梁１の端面１ｂを矢印方向に移動させ、図４乃至図６に示すように、垂直方向に隣接する第１の水平鉄筋Ｔ1 と第１の水平鉄筋Ｔ1 との間に、第２の水平鉄筋Ｔ2 を位置させると共に、第１の左直線部Ｔ1Lと第２の左直線部Ｔ2L、第１の右直線部Ｔ1Rと第２の右直線部Ｔ2Rをそれぞれ垂直方向に重なるように一致させる（図５参照）。
【００１３】
そして、第１の垂直鉄筋Ｅ1 は垂直方向に立設する鉄筋で、第１の垂直鉄筋Ｅ1 は、第２の弧状部Ｔ2Cより第１の弧状部Ｔ1Cに近い位置であり、垂直方向に重なるように一致（平面的に見て一致）した第１の左直線部Ｔ1Lと第２の左直線部Ｔ2Lとにそれぞれ当接している。この第１の垂直鉄筋Ｅ1 と第１の左直線部Ｔ1L（又は第２の左直線部Ｔ2L）とは、第１の結束線Ｋ1 （例えば、番線）で結束されている。
また、第２の垂直鉄筋Ｅ2 は垂直方向に立設する鉄筋で、第２の垂直鉄筋Ｅ2 は、第１の弧状部Ｔ1Cより第２の弧状部Ｔ2Cに近い位置であり、垂直方向に重なるように一致（平面的に見て一致）した第１の左直線部Ｔ1Lと第２の左直線部Ｔ2Lとにそれぞれ当接している。この第２の垂直鉄筋Ｅ2 と第１の左直線部Ｔ1L（又は第２の左直線部Ｔ2L）とは、第２の結束線Ｋ2 （例えば、番線）で結束されている。
また、第３の垂直鉄筋Ｅ3 は垂直方向に立設する鉄筋で、第３の垂直鉄筋Ｅ3 は、第２の弧状部Ｔ2Cより第１の弧状部Ｔ1Cに近い位置であり、垂直方向に重なるように一致（平面的に見て一致）した第１の右直線部Ｔ1Rと第２の右直線部Ｔ2Rとにそれぞれ当接している。この第３の垂直鉄筋Ｅ3 と第１の右直線部Ｔ1R（又は第２の右直線部Ｔ2R）とは、第３の結束線Ｋ3 （例えば、番線）で結束されている。
また、第４の垂直鉄筋Ｅ4 は垂直方向に立設する鉄筋で、第１の弧状部Ｔ1Cより第２の弧状部Ｔ2Cに近い位置であり、垂直方向に重なるように一致（平面的に見て一致）した第１の右直線部Ｔ1Rと第２の右直線部Ｔ2Rとにそれぞれ当接している。この第４の垂直鉄筋Ｅ4 と第１の右直線部Ｔ1R（又は第２の右直線部Ｔ2R）とは、第４の結束線Ｋ4 （例えば、番線）で結束されている。
【００１４】
上述したように、第１の水平鉄筋Ｔ1 、第２の水平鉄筋Ｔ2 、第１の垂直鉄筋Ｅ1 〜第４の垂直鉄筋Ｅ4 を第１の結束線Ｋ1 〜第４の結束線Ｋ4 で結束させ、図６に示すように、型枠10、10を使用して、コンクリ−トＣを流し込んで、逐次プレキャストコンクリ−ト基礎梁１の端面１ａと端面１ｂをコンクリ−トＣを介して接合する。
【００１５】
従って、垂直方向に隣接する第１の水平鉄筋Ｔ1 と第１の水平鉄筋Ｔ1 との間に、第２の水平鉄筋Ｔ2 が位置すると共に、第１の左直線部Ｔ1Lと第２の左直線部Ｔ2L、第１の右直線部Ｔ1Rと第２の右直線部Ｔ2Rとをそれぞれ垂直方向に重なるように一致させ、しかも、プレキャストコンクリ−ト基礎梁１の端面１ａと端面１ｂとを接合する際、従来のように溶接を使用せず、鉄筋を結束線で結束するため、垂直方向の剪断力に強く、その上、作業性をも改善することができ、更に、プレキャストコンクリ−ト基礎梁１の端面１ａ（又は１ｂ）より突出する第１、２の水平鉄筋Ｔ1 、Ｔ2 の略Ｕ字形状は、第１、２の弧状部Ｔ1c、Ｔ2cと、この第１、２の弧状部Ｔ1c、Ｔ2cの両側にそれぞれ延びる第１、２の左直線部Ｔ1L、Ｔ2L、第１、２の右直線部Ｔ1R、Ｔ2Rで構成され、先端側が閉じているため、作業における危険性を改善することができる。
【００１６】
上述した実施例においては、プレキャストコンクリ−ト基礎梁１について説明したが、本発明にあっては、これに限らず、直方体形状の壁構築用プレキャストコンクリ−ト部材の端面（側面）と端面（側面）をコンクリ−トを介して接合する壁構築用プレキャストコンクリ−ト部材の接合方法にも同様に適用できる。なお、上述した直方体形状のプレキャストコンクリ−ト基礎梁１が直方体形状の壁構築用プレキャストコンクリ−ト部材に置き換わるのみで、同様であるのでその説明は省略する。
【００１７】
【発明の効果】
請求項１記載のプレキャストコンクリ−ト基礎梁の接合方法によれば、垂直方向に隣接する第１の水平鉄筋と第１の水平鉄筋との間に、第２の水平鉄筋が位置すると共に、第１の左直線部と第２の左直線部、第１の右直線部と第２の右直線部とをそれぞれ垂直方向に重なるように一致させ、しかも、プレキャストコンクリ−ト基礎梁の端面と端面とを接合する際、従来のように溶接を使用せず、鉄筋を結束線で結束するため、垂直方向の剪断力に強く、その上、作業性をも改善することができ、更に、プレキャストコンクリ−ト基礎梁の端面より突出する第１、２の水平鉄筋の略Ｕ字形状は、第１、２の弧状部と、この第１、２の弧状部の両側にそれぞれ延びる第１、２の左直線部、第１、２の右直線部で構成され、先端側が閉じているため、作業における危険性を改善することができる。
【００１８】
また、請求項２記載の壁構築用プレキャストコンクリ−ト部材の接合方法によれば、垂直方向に隣接する第１の水平鉄筋と第１の水平鉄筋との間に、第２の水平鉄筋が位置すると共に、第１の左直線部と第２の左直線部、第１の右直線部と第２の右直線部とをそれぞれ垂直方向に重なるように一致させ、しかも、壁構築用プレキャストコンクリ−ト部材の端面と端面とを接合する際、従来のように溶接を使用せず、鉄筋を結束線で結束するため、垂直方向の剪断力に強く、その上、作業性をも改善することができ、更に、壁構築用プレキャストコンクリ−ト部材の端部より突出する第１、２の水平鉄筋の略Ｕ字形状は、第１、２の弧状部と、この第１、２の弧状部の両側にそれぞれ延びる第１、２の左直線部、第１、２の右直線部で構成され、先端側が閉じているため、作業における危険性を改善することができる。
【図面の簡単な説明】
【図１】図１は、本発明の一実施例のプレキャストコンクリ−ト基礎梁の設置状況を示す概略的図である。
【図２】図２は、図１のプレキャストコンクリ−ト基礎梁の概略的斜視図である。
【図３】図３は、図１の一部を斜めに見た概略的斜視図である。
【図４】図４は、垂直方向に隣接する第１の水平鉄筋と第１の水平鉄筋との間に、第２の水平鉄筋が位置し、垂直鉄筋の設置状況を示す概略的図である。
【図５】図５は、図４における垂直鉄筋が設置され、平面的に見た概略的平面図である。
【図６】図６は、型枠を使用して、コンクリ−トを流し込む状態を示す概略的図である。
【図７】図７は、型枠を外し、プレキャストコンクリ−ト基礎梁の端面と端面をコンクリ−トを介して接合された状態を示す概略的斜視図である。
【符号の説明】
１        プレキャストコンクリ−ト基礎梁
Ｔ1       第１の水平鉄筋
Ｔ2       第２の水平鉄筋
Ｔ1L      第１の左直線部
Ｔ1R      第１の右直線部
Ｔ2L      第２の左直線部
Ｔ2R      第２の右直線部
１ａ      端面
１ｂ      端面
Ｃ        コンクリ−ト
【図１】
0003791887.tif 000002
【図２】
0003791887.tif 000003
【図３】
0003791887.tif 000004
【図４】
0003791887.tif 000005
【図５】
0003791887.tif 000006
【図６】
0003791887.tif 000007
【図７】
0003791887.tif 000008